(57)【要約】      （修正有）【課題】ＬＣＤパネルのバックライトＬＥＤの輝度をモニタリングし、バックライトＬＥＤの発光効率が低下しても駆動電流の増加で自動補正することで輝度を確保することができるテレビインターホン装置を提供する。【解決手段】来訪者が居住者を呼び出すための玄関子機と、玄関子機からの呼び出しに応答するための居室親機とから構成されるテレビインターホン装置であって、居室親機は、モニタ部のＬＣＤパネルのバックライトとして使用されるバックライトＬＥＤと、バックライトＬＥＤを駆動するＬＥＤ駆動電流源と、バックライトＬＥＤの輝度の変化をモニタするＬＥＤ受光部と、予め定めた輝度目標値とＬＥＤ受光部で受光した輝度モニタ値と比較し、発光効率の低下等の要因により当該輝度目標値に足りない場合に少なくとも輝度目標値以上となるようＬＥＤ駆動電流源を制御する電流源制御回路とを備える。【選択図】図３
2013179459.tif 000002
【特許請求の範囲】
【請求項１】
来訪者が居住者を呼び出すための呼出ボタン、前記来訪者が前記居住者と通話するための子機マイク及び子機スピーカ、前記来訪者を撮像するカメラを備えた玄関子機と、前記玄関子機からの呼び出しに応答するための操作部、前記来訪者と通話するための親機マイク及び親機スピーカ、前記カメラで撮像された映像を出画するためＬＣＤパネルで構成されるモニタ部を有する居室親機とから構成されるテレビインターホン装置であって、
前記居室親機は、前記モニタ部のＬＣＤパネルのバックライトとして使用されるバックライトＬＥＤと、前記バックライトＬＥＤを駆動するＬＥＤ駆動電流源と、前記バックライトＬＥＤの輝度の変化をモニタするＬＥＤ受光部と、予め定めた輝度目標値と前記ＬＥＤ受光部で受光した輝度モニタ値と比較し、発光効率の低下等の要因により当該輝度目標値に足りない場合に少なくとも前記輝度目標値以上となるよう前記ＬＥＤ駆動電流源を制御する電流源制御回路とを備えたことを特徴とするテレビインターホン装置。
【請求項２】
前記居室親機は、前記バックライトＬＥＤを複数備えたＬＣＤパネルにおいて、前記ＬＥＤ駆動電流源と前記ＬＥＤ受光部、前記電流源制御回路をバックライトＬＥＤごとに備え、
各電流源制御回路は、前記輝度目標値をバックライトＬＥＤごとに設定して、受光した輝度モニタ値と比較し、当該輝度目標値に足りない場合に輝度目標値以上となるようそれぞれ制御するものであって、バックライトＬＥＤごとの光度ランクのバラツキによって発生するＬＣＤパネルの明るさムラを抑えることを特徴とする請求項１記載のテレビインターホン装置。
【請求項３】
前記電流源制御回路が制御する前記バックライトＬＥＤの駆動電流を監視し、定格を越えないようにする過電流検知回路を備えたことを特徴とする請求項１又は２記載のテレビインターホン装置。
【発明の詳細な説明】
【技術分野】
【０００１】
本発明はテレビインターホン装置に係り、居室親機のＬＣＤパネルのバックライトＬＥＤの経年劣化と点灯による劣化で引き起こされる画面輝度の低下を検知し、バックライトＬＥＤの駆動電流を必要量だけ増加させることで輝度低下を防ぐようにすることが可能なテレビインターホン装置に関する。
【背景技術】
【０００２】
従来のテレビインターホン装置においては、ＬＣＤのバックライトは冷陰極官から、より小型で軽量あるＬＥＤへと移行している。ＬＥＤであれば、長寿命化が図れるとともに消費電力も低減させることができる。一方、ＬＥＤは温度上昇や経年劣化、点灯による劣化により発光効率が低下することがあり、また量産される発光ＬＥＤは同一種のものであっても輝度ばらつきがありランクわけが必要となるものである。これらのばらつきを抑える輝度調整装置が考案されている。
【先行技術文献】
【特許文献】
【０００３】
【特許文献１】特開２００８−１０７５４４号公報
【発明の開示】
【発明が解決しようとする課題】
【０００４】
しかしながら、従来例のテレビインターホン装置においては、テレビインターホン装置のように１０年以上使用されるという製品の特徴を考慮すると、経年劣化や点灯による劣化が原因でモニタ部を構成するバックライトＬＥＤの発光効率の低下による画面輝度の低下してしまう虞があった。
【０００５】
本発明は、上記難点を解決するためになされたものであって、ＬＣＤパネルのバックライトＬＥＤの輝度をモニタリングし、バックライトＬＥＤの発光効率が低下しても駆動電流を増加させることで自動補正し、輝度を確保することができるテレビインターホン装置を提供することを目的とする。
【課題を解決するための手段】
【０００６】
本発明は上記課題を解決するためになされるものであって、本発明の第１の態様であるテレビインターホン装置は、来訪者が居住者を呼び出すための呼出ボタン、来訪者が居住者と通話するための子機マイク及び子機スピーカ、来訪者を撮像するカメラを備えた玄関子機と、玄関子機からの呼び出しに応答するための操作部、来訪者と通話するための親機マイク及び親機スピーカ、カメラで撮像された映像を出画するためＬＣＤパネルで構成されるモニタ部を有する居室親機とから構成されるテレビインターホン装置であって、居室親機は、モニタ部のＬＣＤパネルのバックライトとして使用されるバックライトＬＥＤと、バックライトＬＥＤを駆動するＬＥＤ駆動電流源と、バックライトＬＥＤの輝度の変化をモニタするＬＥＤ受光部と、予め定めた輝度目標値とＬＥＤ受光部で受光した輝度モニタ値と比較し、発光効率の低下等の要因により当該輝度目標値に足りない場合に少なくとも輝度目標値以上となるようＬＥＤ駆動電流源を制御する電流源制御回路とを備えたことを特徴とする。
【０００７】
また、本発明の第２の態様であるテレビインターホン装置は、請求項１において、居室親機は、バックライトＬＥＤを複数備えたＬＣＤパネルにおいて、ＬＥＤ駆動電流源とＬＥＤ受光部、電流源制御回路をバックライトＬＥＤごとに備え、各電流源制御回路は、輝度目標値をバックライトＬＥＤごとに設定して、受光した輝度モニタ値と比較し、当該輝度目標値に足りない場合に輝度目標値以上となるようそれぞれ制御するものであって、バックライトＬＥＤごとの光度ランクのバラツキによって発生するＬＣＤパネルの明るさムラを抑えることを特徴とする。
【０００８】
更に本発明の第３の態様であるテレビインターホン装置は、請求項１又は請求項２において、電流源制御回路が制御するバックライトＬＥＤの駆動電流を監視し、定格を越えないようにする過電流検知回路を備えたことを特徴とする。
【発明の効果】
【０００９】
請求項１の発明によれば、ＬＣＤパネルのバックライトＬＥＤの輝度をモニタリングし、バックライトＬＥＤの発光効率が低下しても駆動電流の増加で自動補正することで輝度を確保することができ長期に渡りＬＣＤパネルのバックライトの輝度の低下を抑えることが可能となり来訪者の視認性の確保、また映像品質を保つことができる。
請求項２の発明によれば、ＬＣＤパネルのインチ数が大きくなるとバックライトに使用されるＬＥＤも多くなり輝度のばらつきが問題となってくるが、各ＬＥＤの輝度をそれぞれ補正するのでＬＥＤの輝度ランク指定をおこなう必要がなくなる。
請求項３の発明によれば、ＬＥＤの発光効率を駆動電流の増加により補正するが、駆動電流の増加がＬＥＤの定格を超えないようにして部品の破損を防ぐことができる。
【図面の簡単な説明】
【００１０】
【図１】本発明におけるテレビインターホン装置のシステム構成図である。
【図２】本発明におけるテレビインターホン装置のブロック図である。
【図３】本発明におけるテレビインターホン装置のモニタ部の詳細ブロック図である。
【発明を実施するための最良の形態】
【００１１】
以下、本発明のテレビインターホン装置を適用した最良の実施の形態例について、図面を参照して説明する。
図１は、本発明のテレビインターホン装置のシステム構成図であり、図２は本発明におけるテレビインターホン装置のブロック図である。
【００１２】
図１、図２に示すように、テレビインターホン装置は、玄関子機１と居室親機２とから構成されており、玄関子機１は、来訪者が居住者を呼び出すための呼出ボタン１１、来訪者が居住者と通話するための子機マイク１２、子機スピーカ１３、来訪者を撮像するためのカメラ１４、カメラ１４で撮像した映像を処理するための映像処理部１５、居室親機２と通信するための子機ＩＦ１６、玄関子機１内の各部を制御する子機ＣＰＵ１７を有し、また、居室親機２は、来訪者からの呼び出しに応答するための操作部２１、居住者が来訪者と通話するための親機マイク２２、親機スピーカ２３、玄関子機１から送信され映像処理部２５で処理された映像を出画するためのモニタ部２４、玄関子機１と通信するための親機ＩＦ２６、居室親機２内の各部を制御するための親機ＣＰＵ２７、玄関子機１及び居室親機２の各部へ電源を供給するための電源回路２８から構成されている。
【００１３】
また、モニタ部２４は、図３の詳細ブロック図に示すように、複数のＬＥＤ制御部２４０ａ、２４０ｂ、２４０ｃ、２４０ｄ、モニタ２４１を有し、更に各ＬＥＤ制御部２４０ａ、２４０ｂ、２４０ｃ、２４０ｄは、ＬＣＤの光源となるバックライトＬＥＤ２４２、当該バックライトＬＥＤへ駆動電流を供給するＬＥＤ駆動電流源２４３、バックライトＬＥＤ２４２の輝度をモニタリングするＬＥＤ受光部２４４、あらかじめ設定された輝度目標値を持ち、ＬＥＤ受光部２４４からの輝度モニタ値と比較してＬＥＤ駆動電流源２４３を制御する電流源制御回路２４５、駆動電流がバックライトＬＥＤ２４２の電流定格値を超えないように電流源制御回路２４５にフィードバックをかける過電流検知回路２４６から構成されている。
【００１４】
このように構成されたテレビインターホン装置について、以下、動作を説明する。
来訪者が居住者を呼び出すために玄関子機１の呼出ボタン１１を操作すると、子機ＣＰＵ１７がこれを検出し、呼出信号が子機ＩＦ１６を介して居室親機２に送付される。居室親機２では親機ＩＦ２６を介して親機ＣＰＵ２７にてこれが検出され、親機スピーカ２３から呼出音を放音する。またこれと同時に、親機ＣＰＵ２７の制御により、電源回路２８から玄関子機１のカメラ１４及び、居室親機２のモニタ部２４等の各回路に電源を供給するよう制御する。
【００１５】
これにより、玄関子機１のカメラ１４で撮像された来訪者の映像が映像処理部１５にて処理され、親機ＩＦ１６を介して居室親機２へ送信される。居室親機２では、親機ＩＦ２６を介して受信され映像処理部２５にて適宜処理された映像がモニタ部２４で出画される。
【００１６】
呼出音及び来訪者の映像を確認した居住者が操作部２１で構成された応答ボタンを操作すると、玄関子機１の子機マイク１２、子機スピーカ１３と親機マイク２２、親機スピーカ２３間で通話路が形成され、居住者は来訪者の映像を見ながら通話することができる。
【００１７】
ここで、ＬＣＤパネルで構成されるモニタ部２４は、従来光源として冷陰極管が使用されてきたが小型、軽量、安価であるＬＥＤへと移行してきた。光源には供給電力に対して取り出せる光束の割合を示す発光効率が定義されているが、ＬＥＤは点灯による劣化、経年劣化、温度上昇によって発光効率が減少するものである。そして、テレビインターホン装置の場合、製品の使用期間が長く１０年以上使用されることもあり、発光効率は経年劣化と点灯による劣化の影響を受け、画面輝度の低下につながり、映像品質、来訪者の視認性へと影響が出る場合があった。
【００１８】
そこで、本実施例では、以下のように動作することで経年劣化により発光効率が低下した場合であってもＬＣＤパネルの輝度の低下を抑えることとした。
【００１９】
まず、バックライトＬＥＤの光量をモニタリングできる位置にＬＥＤ受光部２４４を設ける。そして当該ＬＥＤ受光部では、バックライトＬＥＤ２４とＬＥＤ受光部２６の位置関係によって決まる輝度に比例した輝度モニタ値を取得する。
得られた輝度モニタ値は、電流源制御回路２４５に送信され、当該電流源制御回路はあらかじめ設定された確保したい輝度目標値と比較する。なお、本実施例では輝度目標値を５０mVとして設定されているものとする。
【００２０】
電流源制御回路２４５は、比較した結果、経年劣化によりバックライトＬＥＤ２４２の光量が下がり輝度モニタ値が低下していると判断した際（たとえば輝度モニタ値が３０mV）には、バックライトＬＥＤ２４２へと供給する駆動電流を増やすようにＬＥＤ駆動電流源２４３を制御する信号を送る。これにより、駆動電流が増え、ＬＥＤ受光部２４４でモニタリングしているバックライトＬＥＤ２４２の輝度モニタ値を輝度目標値である５０mV以上を確保することができる。
【００２１】
さて、近年のテレビインターホン装置の居室親機のモニタ部の大きさは３．５インチから７インチへと大きくなってきており、それに伴い、バックライトＬＥＤを複数用いるようになってきた。本発明ではバックライトＬＥＤを４つ用いた構成となっている。よってＬＥＤ制御部２４０ａ、２４０ｂ、２４０ｃ、２４０ｄそれぞれに上記同様の構成を設け、各バックライトＬＥＤ２４２の駆動電流をそれぞれ調整することで発光量を均一にすることができ、画面の明るさムラを無くすことが可能になる。
【００２２】
また、ＬＥＤ駆動電流源２４３については、バックライトＬＥＤ２４２の発光効率が低下すればするほど駆動電流を増やそうとするのでバックライトＬＥＤ２４２の電流定格、例えば３０mAを超えてしまうことがないように、過電流検知回路２４６がバックライトＬＥＤ２４２の駆動電流を検知して電流源制御回路２４５にフィードバックし、電流定格を超えないように制御してバックライトＬＥＤ２４２の破損を防止するよう制御する。
【符号の説明】
【００２３】
１              玄関子機
１１        呼出ボタン
１２        子機マイク
１３        子機スピーカ
１４        カメラ
１７        子機ＣＰＵ
２              居室親機
２１        操作部
２２        親機マイク
２３        親機スピーカ
２４        ＬＣＤパネル
２４１   モニタ
２４２   バックライトＬＥＤ
２４３   ＬＥＤ駆動電源
２４４   ＬＥＤ受光部
２４５   電流源制御回路
２４６   過電流検知回路
【図１】
2013179459.tif 000003
【図２】
2013179459.tif 000004
【図３】
2013179459.tif 000005